(57)【要約】【課題】１以上の点光源（２００）から単色光を生じる、照明装置（１００）及び方法を提供する。【解決手段】蛍光体（２０２）は、（複数の）点光源（２００）で生じた単色光を受けるために、かつ発光を介して多波長光を供給するために、（複数の）点光源（２００）から離間しる。この多波長光は、多次元表面（１０６）を横切って蛍光体（２０２）から放射される。必要に応じて、レンズ体（１０４）は、多次元表面（１０６）から多波長光を受けることができ、多波長光をレンズ体（１０４）からの出射配光（４００）で反射及び屈折させる。【選択図】図１
2017079210.tif 000002
【特許請求の範囲】
【請求項１】
照明装置（１００）であって、
単色光を生じるように構成された第１の点光源（２００）と、
第１の点光源（２００）から空間的に離間した蛍光体（２０２）であって、第１の点光源（２００）で生じた単色光を受けて、単色光を受けてからの多次元表面（１０６）での発光によって多波長光を供給するように構成された蛍光体（２０２）と、
多次元表面（１０６）から多波長光を受けて、多波長光をレンズ体（１０４）からの出射配光（４００）で反射及び屈折させるように構成されたレンズ体（１０４）と
を備える照明装置（１００）。
【請求項２】
別の単色光を生じるように構成された１以上の第２の点光源（２００）をさらに備える、請求項１に記載の照明装置（１００）。
【請求項３】
蛍光体（２０２）が、１以上の第２の点光源（２００）からも空間的に離間して、１以上の第２の点光源（２００）から別の単色光を受けて、単色光及び別の単色光を受けてからの発光によって多波長光を供給するように構成される、請求項２に記載の照明装置（１００）。
【請求項４】
蛍光体（２０２）が、エアギャップ（２０６）によって、第１の点光源（２００）から空間的に離間している、請求項１に記載の照明装置（１００）。
【請求項５】
蛍光体（２０２）が、第１の点光源（２００）よりも大きい表面積を有する多次元表面（１０６）から多波長光を放射するように構成される、請求項１に記載の照明装置（１００）。
【請求項６】
レンズ体（１０４）が、多波長光を、出射配光（４００）として非ランバーシアン配光で反射及び屈折させるように構成される、請求項１に記載の照明装置（１００）。
【請求項７】
第１の点光源（２００）及び蛍光体（２０２）が配置された円筒形ハウジング（１０２）をさらに備え、円筒形ハウジング（１０２）が、多次元表面（１０６）を画成する円形出射面を有し、そこを通して多波長光がレンズ体（１０４）に導かれる、請求項１に記載の照明装置。
【請求項８】
レンズ体（１０４）が、収束凸面（３００）、及び対向する発散凸面（３０２、３０４）を有し、多波長光が、発散凸面（３０２、３０４）に向かって、かつ収束凸面（３００）から離れて、レンズ体（１０４）に受け入れられる、請求項１に記載の照明装置（１００）。
【請求項９】
レンズ体（１０４）の収束凸面（３００）及び発散凸面（３０２、３０４）が、多波長光の全内部反射をもたらす、請求項８に記載の照明装置（１００）。
【請求項１０】
照明装置（１００）であって、
第１の波長の第１の光を生じるように構成された光源（２００）と、
光源（２００）から空間的に離間した蛍光体（２０２）であって、光源（２００）で生じた第１の光を受けて、多次元表面（１０６）で第１の波長とは異なる１以上の波長を有する多波長光を供給するように構成された蛍光体（２０２）と、
多次元表面（１０６）から多波長光を受けて、レンズ体（１０４）からの出射配光（４００）で多波長光の反射又は屈折の１以上を行うように構成されたレンズ体（１０４）と
を備える照明装置（１００）。
【請求項１１】
光源（２００）が、第１の光を単色光として生成するように構成される、請求項１０に記載の照明装置（１００）。
【請求項１２】
光源（２００）が、第１の光を光の点として生成するように構成された点光源（２００）である、請求項１０に記載の照明装置（１００）。
【請求項１３】
別の第２の光を生じるように構成された１以上の別の点光源（２００）をさらに備える、請求項１０に記載の照明装置（１００）。
【請求項１４】
蛍光体（２０２）が、エアギャップ（２０６）によって光源（２００）から空間的に離間しる、請求項１０に記載の照明装置（１００）。
【請求項１５】
蛍光体（２０２）が、光源（２００）の表面よりも大きい表面積を有し、ここを通って光源（２００）から第１の光が放射される、多次元表面（１０６）から多波長光を放射するように構成される、請求項１０に記載の照明装置（１００）。
【発明の詳細な説明】
【技術分野】
【０００１】
本明細書に開示される主題の実施形態は、照明装置に関する。
【背景技術】
【０００２】
一部の照明システムは、光源から出る光の配分を制御する蛍光物質を含んでいる。このようなシステムでは、ランバーシアン配光で光を配分することができる。しかしながら、この配分は一部の屋外用途には有用でない場合がある。例えば、道路、横断歩道等を照明する際に、規制によって、使用できる配光の種類が制限される場合がある。ランバーシアン配光は、このような配光によって生じるグレアその他の視認性の問題のために、規制によりこれを使用することができない。
【０００３】
また、ランバーシアン配光での配光が許されている一部の知られている屋外照明システムは、効率の悪さという問題を抱えている。このような照明システムは、道路、駐車場等の一部の屋外の場所を適切に照明するための充分な光を生じることができない。
【先行技術文献】
【特許文献】
【０００４】
【特許文献１】米国特許第８３５４７８４号明細書
【発明の概要】
【０００５】
一実施形態では、照明装置は、単色光を生じるように構成された第１の点光源、及びから第１の点光源から空間的に離間した蛍光体を備える。蛍光体は、第１の点光源で生じた単色光を受けて、単色光を受けてからの多次元表面での発光によって多波長光を供給するように構成される。照明装置は、多次元表面から多波長光を受けるように構成されたレンズ体を備えていてもよく、多波長光をレンズ体からの出射配光で反射及び屈折させる。
【０００６】
別の実施形態では、別の照明装置は、第１の波長の第１の光を生じるように構成された光源、及び光源から空間的に離間した蛍光体を備える。蛍光体は、光源で生じた第１の光を受けて、多次元表面で第１の波長とは異なる１以上の波長を有する多波長光を供給するように構成される。照明装置は、多次元表面から多波長光を受けるように構成されたレンズ体を備えることができ、レンズ体は、レンズ体からの出射配光で、多波長光の反射又は屈折の１以上を行うようにも構成される。
【０００７】
別の実施形態では、（例えば光を生じる）方法は、照明装置の第１の点光源から単色光を生じるステップと、第１の点光源で生じた単色光を、第１の点光源から空間的に離間した蛍光体で受けるステップと、単色光を受けてからの蛍光体の発光が多次元表面を横切ることを介して、多波長光を供給するステップと、レンズ体で多波長光を反射及び屈折させるステップであって、多波長光をレンズ体からの出射配光で照明装置から導くために、多次元表面から多波長光を受けるレンズ体で、多波長光を反射及び屈折させるステップとを含む。
【０００８】
本明細書で述べられている主題は、添付の図面を参照しながら以下の限定的でない実施形態の説明を読むことによって、より良く理解されるであろう。
【図面の簡単な説明】
【０００９】
【図１】照明装置の一実施形態を示す。
【図２】一実施形態による、図１に示す照明装置のハウジングの断面図を示す。
【図３】一実施形態による、図１に示す照明装置の側面図を示す。
【図４】一実施形態による、図１に示す照明装置から出る光の出射配光を示す。
【図５】照明装置から光を生じる方法の一実施形態のフローチャートを示す。
【発明を実施するための形態】
【００１０】
本明細書で説明される、発明の主題の１以上の実施形態は、リモートフォスファの蛍光体を用いることによって、広角の配光を生じるための光学的／機械的解決策をもたらす、照明装置及び方法を提供する。一実施形態では、白色発光ダイオード（ＬＥＤ）の代わりに、空間的に離間した蛍光層（本明細書では蛍光体とも呼ばれる）を有する青色ＬＥＤチップを用いることができる。蛍光体は、単数又は複数のＬＥＤで生じた光を受けて、受けた光を広角の（例えばバットウィング形状の）配光を生じるために用いる。レンズは、光線を中心軸線から離して広角へと導く。
【００１１】
一実施形態では、照明装置は、単一の波長を有する青色光等の、１点の単色光を生じるＬＥＤである光源を含む。この光は、光源と蛍光体との間の空間的なギャップ（例えばエアギャップ）を横断する。蛍光体は、１点の光よりも大きく、複数の波長を有する光等の別の光を生じるために、光を受けて発光する。光源と蛍光体との間を離間することにより、より高温の光源を使用すること、及び／又は蛍光体の耐用寿命を延ばすことが可能になる。例えば、空間的なギャップは、光源から蛍光体に伝わる熱を減少させて、（空間的なギャップがない場合、又は空間的なギャップがより小さい場合と比較して）蛍光体が多波長光の生成を継続できる時間を延ばすことができる。蛍光体は、光源の表面よりも大きい発光面を有し、光源からは単色光が放射される。この発光面は、光源よりも大きい配光をするために、より広い領域にわたって光を放射する多次元表面である。この表面は、照明装置からの発光を反射及び／又は屈折させるレンズ体への入口として機能する。レンズ体の形状は、照明装置からの配光を決定するように制御することができる。一実施形態では、蛍光体から空間的に離間した青色単色ＬＥＤを使用すること、及び／又は本明細書で説明されるレンズ体の１以上の実施形態を含めることにより、白色ＬＥＤを含み、蛍光体を含まず、異なるレンズ体を含み、かつ／或いはＬＥＤを蛍光体から空間的に離間させていない照明装置と比較して、照明装置から出る光の効率を１０〜２５％（又は別の値で）高めることができる。
【００１２】
図１は、照明装置１００の一実施形態を示す。
【００１３】
照明装置１００は、レンズ体１０４と動作可能に結合された、光源のハウジング１０２を備える。例えば、ハウジング１０２は、レンズ体１０４に結合されてもよい。ハウジング１０２は、円筒形壁１１０によって結合された、対向する面１０６、１０８を有する筒状体として示されている。面１０６、１０８の１つ又は両方は、平面であるか、或いは非平面形状を有していてもよい。１以上の光源が、ハウジング１０２内に配置される。
【００１４】
ハウジング１０２の壁１１０及び／又は面１０８は、ハウジング１０２内で生成された光に対して不透明であるが、面１０６は光を透過することができる。例えば、面１０６は透明であってもよい。面１０６は、光入口として、又はレンズ体１０４への入力装置として動作し、ハウジング１０２の出射面とも呼ぶことができる。ハウジング１０２の内部で生成された光は、面１０６を通ってハウジング１０２から出て、レンズ体１０４に入る。レンズ体１０４は、光透過材料で形成され、ハウジング１０２から受けた光を所望の、又は指定された配分で反射及び／又は屈折させるような形状にされる。
【００１５】
図１に示す照明装置１００を引き続き参照しながら、図２は、一実施形態による、図１に示す照明装置１００のハウジング１０２の断面図を示す。ハウジング１０２は、いくつかの光源２００を含み、これは、ハウジング１０２の対向する上面１０６よりも、ハウジング１０２の下面１０８に近接して配置される。或いは、１以上の光源２００が、ハウジング１０２の他の場所に配置されてもよい。図２に示す光源２００の数は、単に一例として示されているに過ぎない。単一の光源２００、又は別の数の光源２００が、照明装置１００に含まれていてもよい。
【００１６】
ハウジング１０２内の少なくとも１つ、又は全ての光源２００は、二次元領域にわたって配光される光を生じるのではなく、１点の光を生じる点光源である。一実施形態では、ハウジング１０２の光源２００は、単色光を生じる。例えば、光源２００は、単一の波長を有する光を生じることができる。ハウジング１０２の光源２００は全て、同一の単色光（例えば、同一の波長又は色を有する光）を生成することができる。或いは、ハウジング１０２の光源２００の２以上が、異なる波長又は色を有する光を生成してもよい。一態様において、光源２００は、４５０ｎｍ〜４５５ｎｍのピーク波長を有する光を放射するＬＥＤを表す。或いは、光源２００は、４４４ｎｍ〜４５０ｎｍ、４５０ｎｍ〜４５７ｎｍ、４４４ｎｍ〜４５７ｎｍその他のピーク波長を有する光を放射するＬＥＤを表すことができる。ピーク波長という用語は、最大の大きさを有する光源２００で生じた光の波長を表すことができる。
【００１７】
蛍光体２０２は、ハウジング１０２内に配置される。蛍光体２０２は、ハウジング１０２の面１０６を含んでいてもよい。図２に示す蛍光体２０２は、ハウジング１０２の上部を形成する、ディスクの形状を有する。蛍光体２０２は、光源２００で生じた光を受ける。この光によって、蛍光体２０２が発光し、別の光を生じる。蛍光体２０２で生じた光は、多波長光であってもよい。例えば、蛍光体２０２は、光源２００から単一のピーク波長光を受け、発光を介して多波長を有する光を生じることができる。蛍光体２０２は、この多波長光を、蛍光体２０２の多次元表面１０６及びハウジング１０２を横切って放射することができる。面１０６が広がって、光が二次元又は三次元の表面を横切って放射されるので、面１０６は多次元とすることができる。例えば、２以上の方向に沿って延びる全領域が、光を放射することができる。図２に示すように、蛍光体２０２から光が放射される、面１０６の表面積は、光源２００で生じた光が放射される、光源２００の表面積よりも大きい。
【００１８】
蛍光体２０２は、内部に蛍光体が配置される扁平な筒の形状に、成形ポリマーを含んでいてもよい。蛍光体２０２の元になるディスク又は円筒のバルク材料は、透明ポリマーが９５％、及び蛍光物質が５％であってもよい。一実施形態では、蛍光体のバルク材料は、Ｌｏｒｄ社のＥ−１０５透明エポキシ、及びＣｉｒｋａｌｏｋ社の（質量比６：１の）６０１０Ｂ硬化剤に、Ｉｎｔｅｍａｔｉｘ社のＧＡＬ５５０−０２−１３蛍光物質を５％加えたものから形成される。蛍光体２０２は、光源２００から受けた４５０ｎｍの青色光（又はその他の光）を、５０００Ｋの相関色温度（ＣＣＴ、ｃｏｌｏｒ  ｃｏｒｒｅｌａｔｅｄ  ｔｅｍｐｅｒａｔｕｒｅ）及び／又は７０の演色評価数（ＣＲＩ、ｃｏｌｏｒ  ｒｅｎｄｅｒｉｎｇ  ｉｎｄｅｘ）を有する白色光に変換することができる。或いは光は、別の色、ＣＣＴ、及び／又はＣＲＩを有していてもよい。
【００１９】
蛍光体２０２は、光源２００から空間的に離間しる。光源２００は、光源２００の中心軸線２０４に沿って光を生じることができ、蛍光体２０２は、分離ギャップ２０６によって、軸線２０４に沿って光源２００から離間させることができる。ギャップ２０６は、エアギャップ（例えば空気で満たされたギャップ）、又は別の気体等の、他の物質で満たされたギャップであってもよい。ギャップ２０６は、光源２００で生じた熱を、蛍光体２０２に到達する前に放散又は低減できるようにする。これにより、蛍光体２０２の耐用寿命が減少しないよう、蛍光体２０２が光源２００によって加熱されたり、或いは損なわれたりするのを防止することができる。
【００２０】
一実施形態では、ギャップ２０６の側方は、光源２００によって放射された光の波長よりも、及び／又は光源２００よりもずっと大きくてもよい。ギャップ２０６の寸法は、１以上の中心軸線２０４と同一の広がりを持つ方向に沿って測定することができる。ギャップ２０６の寸法は、数センチメートル（例えば２〜５センチメートル）その他の寸法であってもよい。
【００２１】
蛍光体２０２によって放射された光は、ハウジング１０２の面１０６を通ってレンズ体１０４に入る。レンズ体１０４は、エポキシその他の材料等の、光透過性材料で形成することができる。レンズ体１０４は、受けた光を、照明装置１００から出る光の出射配光へと反射及び／又は屈折させる。異なる出射配光をもたらすために、レンズ体１０４の形状は異なっていてもよい。
【００２２】
図３は、一実施形態による、図１に示されている照明装置１００の側面図を示す。照明装置１００のレンズ体１０４は、面１０６を介して蛍光体２０２から光を受ける形状を有し、配光を非ランバーシアン配光に変化させる。レンズ体１０４は、凸面３００、及び複数の対向する凸面３０２、３０４を有する。凸面３０２、３０４の単数又は複数の曲率半径は、凸面３００の単数又は複数の曲率半径よりも小さくてもよい。凸面３００は、ハウジング１０２が挿入される開口又は穴を有していてもよい。ハウジング１０２の蛍光体２０２から出た光は、この開口又は穴を通ってレンズ体１０４に入ることができる。
【００２３】
レンズ体１０４は、谷部３０６で互いに離間した凸面３０２、３０４を有する、鞍型の形状を有する。図１に示すように、凸面３０２、３０４は、４つの頂点３０８を形成することができるが、その代わりに、別の数の頂点３０８を形成してもよい。これも図１に示すように、レンズ体１０４は、２つの対向する側面４１４、４１６から形成された、クラムシェル型を有していてもよい。レンズ体１０４のクラムシェル型の各側面４１４、４１６は、谷部３０６によって離間した２つの頂点３０８を有する。
【００２４】
凸面３００は、面３００が光を収束するためにレンズ体１０４で光を反射及び／又は屈折させる、収束面と呼ぶことができる。例えば、面３００に当たる光のビームは、対向する凸面３０２、３０４等の場所に向かって収束するように、焦点を合わせることができる。これとは対照的に、凸面３０２、３０４は発散面である。面３０２、３０４は、光を発散させるために、レンズ体１０４で光を反射及び／又は屈折させる。例えば、面３０２及び／又は面３０４に当たる光のビームを、対向する凸面３００等の場所から離れるように導くことができる。
【００２５】
面３００、３０２、３０４は、光の全内部反射をもたらす形状にすることができる。例えば、光は、ハウジング１０２の面１０６から、面１０６に対して様々な角度で出ることができる。面３０２、３０４の曲率半径は、面３０２、３０４に入射する光が内側に反射する（例えば、対向する面３００に向かう）ように、充分に小さくすることができる。面３００は、光がレンズ体１０４から導かれるように（例えば図１に示すように、面３０２、３０４と頂点３０８との間で）、光を内部に反射させることもできる。
【００２６】
図４は、一実施形態による、図１に示されている照明装置１００から出る光の出射配光４００を示す。配光４００は、照明装置１００の中心軸線４０４（図１に示す）から異なる角度で、照明装置１００から出た光の異なる光度段階を表す放射図４０２に示される。図４に示すように、配光４００は、非ランバーシアン配光である。例えば、配光４００は、照明装置１００の中心軸線４０４からの全ての方向又は角度において等しくない。配光４００は、横向きの方向４１０、４１２に沿って細長くなっている、２つのほぼ楕円形の部分４０６、４０８を含んでいることにより、配光４００はバットウィング型を有する。或いは配光４００は、別の形状を有していてもよい。
【００２７】
図５は、照明装置から光を生じる方法５００の一実施形態のフローチャートを示す。方法５００は、図１に示す照明装置１００の動作を説明し、或いは別の照明装置の動作を説明することができる。ステップ５０２で、１以上の点光源から単色光が生成される。ステップ５０４で、この光が蛍光体で受けられる。上述したように、蛍光体は、光源による蛍光体の加熱を防ぐために、点光源から離間してもよい。ステップ５０６で、蛍光体の発光を介して多波長光が供給される。この多波長光は、多次元表面を横切って放射される。例えば、蛍光体は、点光源からの光の点を、二次元又は三次元の面を横切って蛍光体から出る光に変換することができる。ステップ５０８で、蛍光体から出た光は、指定された配光を生じるために、レンズ体によって反射及び／又は屈折される。必要に応じて、ステップ５０８は方法５００に含まれなくてもよい。光は、ランバーシアン配光ではない配光を生じるために、反射及び／又は屈折させることができる。
【００２８】
一実施形態では、照明装置は、単色光を生じるように構成された第１の点光源、及びから第１の点光源から空間的に離間した蛍光体を備える。蛍光体は、第１の点光源で生じた単色光を受けて、単色光を受けてからの多次元表面での発光によって多波長光を供給するように構成される。照明装置は、多次元表面から多波長光を受けるように構成されたレンズ体を備えることができ、多波長光をレンズ体からの出射配光で反射及び屈折させる。
【００２９】
一態様において、第１の点光源は、発光ダイオードである。
【００３０】
一態様において、照明装置は、別の単色光を生じるように構成された１以上の第２の点光源をさらに備える。
【００３１】
一態様において、蛍光体は、１以上の第２の点光源からも空間的に離間し、かつ１以上の第２の点光源から別の単色光を受けるように構成される。蛍光体は、単色光及び別の単色光を受けてからの発光によって多波長光を供給するように構成することができる。
【００３２】
一態様において、蛍光体は、エアギャップによって第１の点光源から空間的に離間しる。
【００３３】
一態様において、蛍光体は、第１の点光源よりも大きい表面積を有する多次元表面から多波長光を放射するように構成される。
【００３４】
一態様において、第１の点光源は、単色光として青色光を生じるように構成される。
【００３５】
一態様において、レンズ体は、多波長光を出射配光として非ランバーシアン配光で反射及び屈折させるように構成される。
【００３６】
一態様において、照明装置は、第１の点光源及び蛍光体が配置された円筒形ハウジングをさらに備える。円筒形ハウジングは、多次元表面を画成する円形出射面を有することができ、ここを通って多波長光がレンズ体に導かれる。レンズ体は、収束凸面、及び対向する発散凸面を有し、多波長光は、発散凸面に向かって、かつ収束凸面から離れて、レンズ体に受け入れられる。
【００３７】
一態様において、レンズ体の収束凸面及び発散凸面は、多波長光の全内部反射をもたらす。
【００３８】
別の実施形態では、別の照明装置は、第１の波長の第１の光を生じるように構成された光源、及び光源から空間的に離間した蛍光体を備える。蛍光体は、光源で生じた第１の光を受けて、多次元表面で第１の波長とは異なる１以上の波長を有する多波長光を供給するように構成される。照明装置は、多次元表面から多波長光を受けるように構成されたレンズ体を備えることができ、レンズ体は、レンズ体からの出射配光で、多波長光の反射又は屈折の１以上を行うようにも構成される。
【００３９】
一態様において、光源は、第１の光を単色光として生成するように構成される。
【００４０】
一態様において、光源は、第１の光を光の点として生成するように構成された点光源である。
【００４１】
一態様において、照明装置は、別の第２の光を生じるように構成された１以上の別の点光源をさらに備える。
【００４２】
一態様において、蛍光体は、光源、及び１以上の別の点光源からも空間的に離間し、１以上の追加の点光源から、別の第２の光を受ける。蛍光体は、第１の光及び別の第２の光を受けてからの発光によって多波長光を供給するように構成することができる。
【００４３】
一態様において、蛍光体は、エアギャップによって光源から空間的に離間しる。
【００４４】
一態様において、蛍光体は、光源の表面よりも大きい表面積を有する多次元表面から多波長光を放射するように構成され、第１の光は、ここを通って光源から放射される。
【００４５】
一態様において、照明装置は、光源及び蛍光体が配置された円筒形ハウジングをさらに備える。円筒形ハウジングは、多次元表面を画成する円形出射面を有することができ、ここを通って多波長光がレンズ体に導かれる。
【００４６】
一態様において、レンズ体は、収束凸面、及び対向する発散凸面を有し、多波長光は、発散凸面に向かって、かつ収束凸面から離れて、レンズ体に受け入れられる。
【００４７】
別の実施形態では、（例えば光を生じる）方法は、照明装置の第１の点光源から単色光を生じるステップと、第１の点光源で生じた単色光を、第１の点光源から空間的に離間した蛍光体で受けるステップと、単色光を受けてからの蛍光体の発光が多次元表面を横切ることを介して、多波長光を供給するステップと、レンズ体で多波長光を反射及び屈折させるステップであって、多波長光をレンズ体からの出射配光で照明装置から導くために、多次元表面から多波長光を受けるレンズ体で、多波長光を反射及び屈折させるステップとを含む。
【００４８】
一態様において、単色光を生じるステップは、照明装置の１以上の第２の点光源で別の単色光を生じる工程と、蛍光体で別の単色光を受ける工程とを含む。
【００４９】
一態様において、単色光を受ける工程は、単色光が蛍光体と第１の点光源との間のエアギャップを横断した後で、単色光を受けることを含む。
【００５０】
一態様において、多波長光を反射及び屈折させるステップは、多波長光を、出射配光として非ランバーシアン配光で反射及び屈折させる工程を含む。
【００５１】
本発明の主題のいくつかの実施形態の前述の説明は、添付の図面と併せて読むと、より良く理解されるであろう。様々な実施形態は、図面に示す配置及び手段に限定されない。前述の説明は、例示的であって、限定的ではない。例えば、前述の実施形態（及び／又はその態様）は、互いに組合せて用いることができる。また、特定の状況又は材料に適合するように、その範囲から逸脱することなく、本発明の主題の教示に多くの修正を加えることができる。本明細書で述べる材料の寸法及び種類は、本発明の主題のパラメータを定義することが意図される一方で、決して限定するものではなく、例示的な実施形態である。上記の説明を検討する際に、他の実施形態が、当業者には明らかになるであろう。したがって、本発明の主題の範囲は、添付の特許請求の範囲を、このような特許請求の範囲によって権利が与えられる均等物の全範囲と共に、参照することによって決定されるべきである。
【００５２】
添付の特許請求の範囲において、「含む（ｉｎｃｌｕｄｉｎｇ）」及び「ここにおいて（ｉｎ  ｗｈｉｃｈ）」という用語は、「備える（ｃｏｍｐｒｉｓｉｎｇ）」及び「ここにおいて（ｗｈｅｒｅｉｎ）」というそれぞれの用語の平易な英語（ｐｌａｉｎ−Ｅｎｇｌｉｓｈ）の均等物として用いられる。さらに、以下の特許請求の範囲において、「第１の（ｆｉｒｓｔ）」「第２の（ｓｅｃｏｎｄ）」及び「第３の（ｔｈｉｒｄ）」等の用語は、単に標識として用いられ、その対象に数値的な必要条件を与えることを意図するものではない。また、以下の特許請求の範囲の制限は、このようなクレームの制限が、さらなる構造を欠いた機能の記述の後に、明示的に「する手段（ｍｅａｎｓ  ｆｏｒ）」という語句を用いていない限り、ミーンズプラスファンクションの形式では書かれておらず、米国特許法  １１２条に基づいて解釈されることを意図していない。また、本明細書で用いられるように、単数形で列挙され、「１つの（ａ）」又は「１つの（ａｎ）」という語で始まる要素又はステップは、特に明記しない限り、この要素又はステップの複数形を除外しないものとして理解されるべきである。さらに、本発明の主題の「一実施形態（ｏｎｅ  ｅｍｂｏｄｉｍｅｎｔ）」というときは、列挙された特徴を同様に組み込む別の実施形態の存在を除外するものと解釈されることは意図していない。また、特に断りのない限り、特別な特性を有する要素又は複数の要素を「備える（ｃｏｍｐｒｉｓｉｎｇ）」、「含む（ｉｎｃｌｕｄｉｎｇ）」又は「有する（ｈａｖｉｎｇ）」実施形態は、その特性を有さない別のこのような要素を含んでいてもよい。
【００５３】
ここに記載された説明は、本発明の主題のいくつかの実施形態を開示するため、及び当業者が、任意の装置又はシステムを作成及び使用すること、並びに任意の組合せた方法を実行することを含めて、本発明の主題の実施形態を実施できるように例を用いる。本発明の主題の特許性のある範囲は、特許請求の範囲によって定義され、当業者が思いつく他の例を含み得る。このような他の例は、特許請求の範囲の文言と異ならない構成要素を有する場合、又は特許請求の範囲の文言とごくわずかしか異ならない同等の構成要素を含む場合は、特許請求の範囲内であることが意図される。
［実施態様１］
単色光を生じるように構成された第１の点光源（２００）と、
第１の点光源（２００）から空間的に離間した蛍光体（２０２）であって、第１の点光源（２００）で生じた単色光を受けて、単色光を受けてからの多次元表面（１０６）での発光によって多波長光を供給するように構成された蛍光体（２０２）と、
多次元表面（１０６）から多波長光を受けて、多波長光をレンズ体（１０４）からの出射配光（４００）で、反射及び屈折させるように構成されたレンズ体（１０４）とを備える、
照明装置（１００）。
［実施態様２］
別の単色光を生じるように構成された１以上の第２の点光源をさらに備える、実施態様１に記載の照明装置（１００）。
［実施態様３］
蛍光体（２０２）が、１以上の第２の点光源からも空間的に離間して、１以上の第２の点光源から別の単色光を受けて、単色光及び別の単色光を受けてからの発光によって多波長光を供給するように構成される、実施態様２に記載の照明装置（１００）。
［実施態様４］
蛍光体（２０２）が、エアギャップ（２０６）によって、第１の点光源（２００）から空間的に離間している、実施態様１に記載の照明装置（１００）。
［実施態様５］
蛍光体（２０２）が、第１の点光源（２００）よりも大きい表面積を有する多次元表面（１０６）から多波長光を放射するように構成される、実施態様１に記載の照明装置（１００）。
［実施態様６］
レンズ体（１０４）が、多波長光を、出射配光（４００）として非ランバーシアン配光で反射及び屈折させるように構成される、実施態様１に記載の照明装置（１００）。
［実施態様７］
第１の点光源（２００）及び蛍光体（２０２）が配置された円筒形ハウジング（１０２）をさらに備え、円筒形ハウジング（１０２）が、多次元表面（１０６）を画成する円形出射面を有し、そこを通して多波長光がレンズ体（１０４）に導かれる、実施態様１に記載の照明装置。
［実施態様８］
レンズ体（１０４）が、収束凸面（３００）、及び対向する発散凸面（３０２、３０４）を有し、多波長光が、発散凸面（３０２、３０４）に向かって、かつ収束凸面（３００）から離れて、レンズ体（１０４）に受け入れられる、実施態様１に記載の照明装置（１００）。
［実施態様９］
レンズ体（１０４）の収束凸面（３００）及び発散凸面（３０２、３０４）が、多波長光の全内部反射をもたらす、実施態様８に記載の照明装置（１００）。
［実施態様１０］
第１の波長の第１の光を生じるように構成された光源（２００）と、
光源（２００）から空間的に離間した蛍光体（２０２）であって、光源（２００）で生じた第１の光を受けて、多次元表面（１０６）で第１の波長とは異なる１以上の波長を有する多波長光を供給するように構成された蛍光体（２０２）と、
多次元表面（１０６）から多波長光を受けて、レンズ体（１０４）からの出射配光（４００）で、多波長光の反射又は屈折の１以上を行うように構成されたレンズ体（１０４）とを備える、
照明装置（１００）。
［実施態様１１］
光源（２００）が、第１の光を単色光として生成するように構成される、実施態様１０に記載の照明装置（１００）。
［実施態様１２］
光源（２００）が、第１の光を光の点として生成するように構成された点光源である、実施態様１０に記載の照明装置（１００）。
［実施態様１３］
別の第２の光を生じるように構成された１以上の別の点光源をさらに備える、実施態様１０に記載の照明装置（１００）。
［実施態様１４］
蛍光体（２０２）が、エアギャップ（２０６）によって光源（２００）から空間的に離間しる、実施態様１０に記載の照明装置（１００）。
［実施態様１５］
蛍光体（２０２）が、光源（２００）の表面よりも大きい表面積を有し、ここを通って光源（２００）から第１の光が放射される、多次元表面（１０６）から多波長光を放射するように構成される、実施態様１０に記載の照明装置（１００）。
［実施態様１６］
光源（２００）及び蛍光体（２０２）が配置された円筒形ハウジング（１０２）をさらに備え、円筒形ハウジング（１０２）が、多次元表面（１０６）を画成する円形出射面を有し、ここを通って多波長光がレンズ体（１０４）に導かれる、実施態様１０に記載の照明装置（１００）。
［実施態様１７］
照明装置（１００）の第１の点光源（２００）から単色光を生じるステップ（５０２）と、
第１の点光源（２００）から空間的に離間した蛍光体（２０２）で、第１の点光源（２００）で生じた単色光を受けるステップ（５０４）と、
単色光を受けてからの蛍光体（２０２）の発光が、多次元表面（１０６）を横切ることを介して、多波長光を供給するステップ（５０６）と、
レンズ体（１０４）で多波長光を反射及び屈折させるステップ（５０８）であって、レンズ体（１０４）からの出射配光（４００）で、照明装置（１００）から多波長光を導くために、多次元表面（１０６）から多波長光を受ける、レンズ体（１０４）で多波長光を反射及び屈折させるステップ（５０８）とを含む、
方法（５００）。
［実施態様１８］
単色光を生じるステップ（５０２）が、照明装置（１００）の１以上の第２の点光源で別の単色光を生じる工程と、蛍光体（２０２）で別の単色光を受ける工程とを含む、実施態様１７に記載の方法（５００）。
［実施態様１９］
単色光を受ける工程が、単色光が蛍光体（２０２）と第１の点光源（２００）との間のエアギャップ（２０６）を横断した後で、単色光を受けることを含む、実施態様１７に記載の方法（５００）。
［実施態様２０］
多波長光を反射及び屈折させるステップ（５０８）が、多波長光を、出射配光（４００）として非ランバーシアン配光で反射及び屈折させる工程を含む、実施態様１７に記載の方法（５００）。
【符号の説明】
【００５４】
１００  照明装置
１０２  ハウジング
１０４  レンズ体
１０６  上面（多次元表面）
１０８  下面
１１０  壁
２００  光源
２０２  蛍光体
２０４  中心軸線
２０６  分離ギャップ
３００、３０２、３０４  凸面
３０６  谷部
３０８  頂点
４００  出射配光
４０２  放射図
４０４  中心軸線
４０６、４０８  楕円形部分
４１０、４１２  横向きの方向
４１４、４１６  側面
５００  照明装置から光を生じる方法
【図１】
2017079210.tif 000003
【図２】
2017079210.tif 000004
【図３】
2017079210.tif 000005
【図４】
2017079210.tif 000006
【図５】
2017079210.tif 000007
【外国語明細書】
2017079210000001.pdf